【手続補正書】
【提出日】平成20年3月6日(2008.3.6)
【手続補正１】
【補正対象書類名】明細書
【補正対象項目名】特許請求の範囲
【補正方法】変更
【補正の内容】
【特許請求の範囲】
【請求項１】  電子写真方式の画像形成装置であって、
記録用紙を１枚ずつ給紙する給紙手段と、
前記給紙手段により給紙された記録用紙に感光ドラム上に形成された可視化像を転写するために、搬送路を介して該可視化像を記録用紙に転写するための位置まで記録用紙を搬送する搬送手段と、
前記給紙手段及び前記搬送手段を駆動制御するエンジン制御部と、
画像データを展開するとともに前記エンジン制御部にプリント要求のコマンドを送信するプリンタ制御部とを有するとともに、
前記エンジン制御部が前記プリンタ制御部から前記プリント要求のコマンドを受信するのに先立って、複数頁分のプリント予約のコマンドを受信した際に記録用紙の給紙が可能であるか否かを判断する判断手段とを有し、
該判断手段が記録用紙の給紙が可能であると判断した際に記録用紙を前記搬送路の所定位置まで搬送させるように前記給紙手段及び前記搬送手段を駆動制御することを特徴とする画像形成装置。
【請求項２】  前記複数頁分のプリント予約のコマンドにより複数の給紙口から給紙することが指定されている場合に前記複数頁分のプリント予約順にプリント実行可能な位置であって、前記搬送路における第１の合流点の手前の位置までプリント要求に先立って前記複数の給紙口から記録用紙を搬送させるように給紙手段及び搬送手段を駆動制御することを特徴とする請求項１に記載の画像形成装置。
【請求項３】  複数頁分のプリント予約のコマンドにより複数の給紙口から給紙することが指定されている場合に、前記第１の合流点よりも前記搬送路において上流側に位置する第２の合流点の手前の位置までプリント要求に先立って前記複数の給紙口から記録用紙を搬送させるように前記給紙手段及び前記搬送手段を駆動制御することを特徴とする請求項２に記載の画像形成装置。
【請求項４】  複数頁分のプリント予約のコマンドにより複数の給紙口から給紙することが指定されている場合に前記複数頁分のプリント予約順にプリント実行可能な位置であって、前記搬送路における第１の合流点の手前の位置までプリント要求に先立って前記複数の給紙口から記録用紙を搬送させるように給紙手段及び搬送手段を駆動制御するモードと、前記複数頁分のプリント予約のコマンドにより前記複数の給紙口から給紙することが指定されている場合に、前記第１の合流点よりも前記搬送路において上流側に位置する第２の合流点の手前の位置までプリント要求に先立って前記複数の給紙口から記録用紙を搬送させるように前記給紙手段及び前記搬送手段を駆動制御するモードとを有するとともに、この両モードのどちらか一方を選択する選択手段を有することを特徴とする請求項１に記載の画像形成装置。
【請求項５】  電子写真方式の画像形成装置であって、
記録用紙を１枚ずつ給紙する給紙手段と、
前記給紙手段により給紙された記録用紙に感光ドラム上に形成された可視化像を転写するために、搬送路を介して該可視化像を記録用紙に転写するための転写位置まで記録用紙を搬送する搬送手段と、
前記記録手段及び前記搬送手段を駆動制御するエンジン制御部と、
画像データを展開するとともに前記エンジン制御部にシリアル通信を介してプリント指示をするためのプリントコマンドと、プリントコマンドより前もって給紙口や紙サイズなどのプリント情報をあらかじめ指示するプリント予約コマンドを送信するプリンタ制御部とを有するとともに、
前記エンジン制御部が前記プリンタ制御部から複数頁分の前記プリント予約コマンドを受信した際に記録用紙の給紙動作が可能であるか否かを判断する判断手段とを有し、
前記判断手段が記録用紙の給紙が可能であると判断した際に記録用紙を前記給紙搬送路の所定位置まで搬送させるように前記給紙手段及び前記搬送手段を駆動制御することを特徴とする画像形成装置。
【請求項６】  複数の給紙手段を有し、
前記所定位置とは、前記転写手段より上流であり、前記搬送手段を停止すると記録用紙の先端が前記転写手段に搬送されない最下流の位置であって、
前記エンジン制御部が前記プリント制御部から複数の給紙手段から複数頁分の前記プリント予約コマンドを受信した際は、前記プリント予約コマンドの受信順に記録用紙を前記所定位置まで記録用紙を給紙搬送するように前記給紙手段及び前記搬送手段の駆動を制御することを特徴とする請求項５に記載の画像形成装置。
【請求項７】  複数の給紙手段を有し、
前記所定位置とは、複数の給紙手段からの搬送路が合流する合流点より上流であり、給紙手段を停止すると記録用紙の先端が前記合流点に搬送されない最下流の位置であって、
前記エンジン制御部が前記プリント制御部から複数の給紙手段から複数頁分の前記プリント予約コマンドを受信した際は、前記プリント予約コマンドにて予約された全ての給紙手段から前記所定位置まで記録用紙を給紙搬送するように前記給紙手段及び前記搬送手段の駆動を制御することを特徴とする請求項５に記載の画像形成装置。
【請求項８】  前記エンジン制御部が前記プリント制御部から複数の給紙手段から複数頁分の前記プリント予約コマンドを受信した際に、前記プリント予約コマンドの受信順に記録用紙を前記所定位置まで記録用紙を給紙搬送するように前記給紙手段及び前記搬送手段の駆動を制御する制御する第１の制御手段と、
前記プリント予約コマンドにて予約された全ての給紙手段から前記所定位置まで記録用紙を給紙搬送するように前記給紙手段及び前記搬送手段の駆動を制御する第２の制御手段のいずれかの制御手段を選択することが可能な選択手段を有することを特徴とする請求項５に記載の画像形成装置。
【請求項９】  記録用紙に画像を形成する画像形成手段と、
記録用紙を給紙する給紙手段と、
前記給紙手段により給紙された記録用紙に感光ドラム上に形成された可視化像を転写するために、搬送路を介して該可視化像を記録用紙に転写するための位置まで記録用紙を搬送する搬送手段と、
前記給紙手段及び前記搬送手段を駆動制御するエンジン制御部と、
プリンタ制御部から送信されるプリント要求コマンド及び前記プリント要求コマンドに先立ってプリント予約するための予約コマンドを受信可能な受信手段とを有し、
前記エンジン制御部は、プリント予約にかかる頁の記録用紙の給紙が可能であるか否かを判断する判断手段を備え、前記予約コマンドを用いて複数頁のプリント予約がされた場合、前記判断手段の判断に応じて複数の記録用紙をプリント要求コマンドを受ける前に給紙可能な状態にすることを特徴とする画像形成装置。
【請求項１０】  複数の給紙手段を有し、前記プリンタ制御部から前記プリント予約に係る各頁の記録用紙ごとに、少なくとも給紙手段及び紙サイズの一方を指示可能であることを特徴とする請求項９に記載の画像形成装置。
【請求項１１】  プリント予約に係る頁ごとに、それ以前にプリント予約された頁の記録用紙に関する情報に応じたタイミングで、記録用紙を給紙することを特徴とする請求項１０記載の画像形成装置。
【請求項１２】  複数の給紙手段を使用すべき複数頁のプリント予約がされた場合、プリント予約されている複数頁について任意の順序でプリントが可能であることを特徴とする請求項１０記載の画像形成装置。
【請求項１３】  複数の給紙手段を使用すべき複数頁のプリント予約がされた場合、前記エンジン制御部は、前記使用すべき給紙手段ごとに、当該給紙手段からの搬送路と他の給紙手段からの搬送路との合流点の上流位置まで記録用紙を搬送させることを特徴とする請求項１２に記載の画像形成装置。
【請求項１４】  複数の給紙手段を使用すべき複数頁のプリント予約がされた場合、プリント予約がされた順序でプリントを行う第１モードと、プリント予約されている複数頁について任意の順序でプリントが可能である第２モードのどちらか一方を選択する選択手段を有することを特徴とする請求項１０記載の画像形成装置。
【請求項１５】  前記画像形成手段は、電子写真方法を用いて像担持体上に画像を形成する手段と、前記像担持体上に形成された画像を記録用紙に転写する転写手段とを有することを特徴とする請求項９に記載の画像形成装置。
【手続補正２】
【補正対象書類名】明細書
【補正対象項目名】０００７
【補正方法】変更
【補正の内容】
【０００７】
【課題を解決するための手段】
本発明の画像形成装置は次のように構成したものである。
【手続補正３】
【補正対象書類名】明細書
【補正対象項目名】０００８
【補正方法】変更
【補正の内容】
【０００８】
電子写真方式の画像形成装置であって、記録用紙を１枚ずつ給紙する給紙手段と、前記給紙手段により給紙された記録用紙に感光ドラム上に形成された可視化像を転写するために、搬送路を介して該可視化像を記録用紙に転写するための位置まで記録用紙を搬送する搬送手段と、前記給紙手段及び前記搬送手段を駆動制御するエンジン制御部と、画像データを展開するとともに前記エンジン制御部にプリント要求のコマンドを送信するプリンタ制御部とを有するとともに、前記エンジン制御部が前記プリンタ制御部から前記プリント要求のコマンドを受信するのに先立って、複数頁分のプリント予約のコマンドを受信した際に記録用紙の給紙が可能であるか否かを判断する判断手段とを有し、該判断手段が記録用紙の給紙が可能であると判断した際に記録用紙を前記搬送路の所定位置まで搬送させるように前記給紙手段及び前記搬送手段を駆動制御する。
【手続補正４】
【補正対象書類名】明細書
【補正対象項目名】０００９
【補正方法】変更
【補正の内容】
【０００９】
電子写真方式の画像形成装置であって、記録用紙を１枚ずつ給紙する給紙手段と、前記給紙手段により給紙された記録用紙に感光ドラム上に形成された可視化像を転写するために、搬送路を介して該可視化像を記録用紙に転写するための転写位置まで記録用紙を搬送する搬送手段と、前記記録手段及び前記搬送手段を駆動制御するエンジン制御部と、画像データを展開するとともに前記エンジン制御部にシリアル通信を介してプリント指示をするためのプリントコマンドと、プリントコマンドより前もって給紙口や紙サイズなどのプリント情報をあらかじめ指示するプリント予約コマンドを送信するプリンタ制御部とを有するとともに、前記エンジン制御部が前記プリンタ制御部から複数頁分の前記プリント予約コマンドを受信した際に記録用紙の給紙動作が可能であるか否かを判断する判断手段とを有し、前記判断手段が記録用紙の給紙が可能であると判断した際に記録用紙を前記給紙搬送路の所定位置まで搬送させるように前記給紙手段及び前記搬送手段を駆動制御する。
【手続補正５】
【補正対象書類名】明細書
【補正対象項目名】００１０
【補正方法】変更
【補正の内容】
【００１０】
記録用紙に画像を形成する画像形成手段と、記録用紙を給紙する給紙手段と、前記給紙手段により給紙された記録用紙に感光ドラム上に形成された可視化像を転写するために、搬送路を介して該可視化像を記録用紙に転写するための位置まで記録用紙を搬送する搬送手段と、前記給紙手段及び前記搬送手段を駆動制御するエンジン制御部と、プリンタ制御部から送信されるプリント要求コマンド及び前記プリント要求コマンドに先立ってプリント予約するための予約コマンドを受信可能な受信手段とを有し、前記エンジン制御部は、プリント予約にかかる頁の記録用紙の給紙が可能であるか否かを判断する判断手段を備え、前記予約コマンドを用いて複数頁のプリント予約がされた場合、前記判断手段の判断に応じて複数の記録用紙をプリント要求コマンドを受ける前に給紙可能な状態にする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】